(57)【要約】【課題】本発明は、印刷書類の複写を行う際に、利用者がデータ検索を行うことなく、印刷書類と同等品質の複写書類を容易に取得することができる画像処理システムを提供する。【解決手段】クライアント端末１において、データベース装置５に格納された複数の画像データの中から印刷対象となる画像データ８０１を選択させ、選択された画像データ８０１をデータベース装置５から取得する。そして、画像データ８０１に対する印刷モードを選択させ、取得した画像データ８０１及び選択された印刷モードに基づいて印刷ジョブデータを作成してプリントサーバ装置１０に送信する。また、複写装置１１において、受信した印刷ジョブデータ７０１に含まれる印刷モード７１２に応じて印刷用紙を選択する。そして、ＩＣタグ付き用紙印刷が選択されたときは、受信した印刷ジョブデータ７０１に含まれる画像ビットマップデータ７１５及び画像属性データ（画像関連情報）７１４をＩＣタグ１４に記録すると共に、印刷用紙１３に印刷処理を行う。【選択図】図７
2007158428.tif 000002
【特許請求の範囲】
【請求項１】
複数の画像データを格納するデータベース装置と、前記画像データに基づく印刷ジョブを送信する情報処理端末と、前記情報処理端末から受信した印刷ジョブに基づいて印刷を実行する画像形成装置とが互いにネットワークを介して接続された画像処理システムにおいて、
前記情報処理端末は、前記データベース装置に格納された複数の画像データの中から印刷対象となる画像データを選択させる画像データ選択手段と、
前記選択された画像データを前記データベース装置から取得する画像データ取得手段と、
前記画像データに対する印刷モードを選択させる印刷モード選択手段と、
前記取得した画像データ及び前記選択された印刷モードに基づいて印刷ジョブを作成する印刷ジョブ作成手段とを備え、
前記画像形成装置は、前記印刷ジョブを受信する印刷ジョブ受信手段と、
前記受信した印刷ジョブに含まれる印刷モードに応じて印刷用紙を選択する印刷用紙選択手段と、
前記印刷用紙選択手段により選択された記録媒体付き用紙の記録媒体に、前記受信した印刷ジョブに含まれる画像データ及び当該画像データに関連する画像関連情報を記録する画像情報記録手段と、
前記受信した印刷ジョブに基づいて前記記録媒体付き用紙に印刷する印刷手段とを有することを特徴とする画像処理システム。
【請求項２】
前記画像情報記録手段は、前記記録すべき画像データ及び画像関連情報の合計容量が前記記録媒体付き用紙上の記録媒体の書込可能領域の容量を超えるときは、前記記録すべき画像データに前記書込可能領域の容量に応じた所定の圧縮処理を行う画像圧縮手段を有することを特徴とする請求項１記載の画像処理システム。
【請求項３】
前記所定の圧縮処理には、前記画像データの低解像度化処理が含まれることを特徴とする請求項２記載の画像処理システム。
【請求項４】
前記情報処理端末は、印刷書類上の記録媒体から前記画像データ及び前記画像関連情報を読み取る画像情報読取手段と、
前記読み取った画像関連情報に基づいて画像データを検索する画像データ検索手段とを更に備え、
前記印刷ジョブ作成手段は、前記検索結果により前記データベース装置から画像データを取得したときは、当該取得した画像データ又は前記読み取った画像データのいずれか１つに基づいて前記印刷書類の複写用の印刷ジョブを作成することを特徴とする請求項１乃至３のいずれか１項に記載の画像処理システム。
【請求項５】
前記情報処理端末は、前記読み取った画像データが圧縮された画像データか否かを判別する圧縮データ判別手段と、
前記読み取った画像データが圧縮された画像データであり且つ前記データベース装置から画像データを取得できないときは、当該圧縮された画像データを前記読み取った画像関連情報に基づいて変換する画像変換手段とを更に備え、
前記印刷ジョブ作成手段は、前記変換された画像データに基づいて前記印刷書類の複写用の印刷ジョブを作成することを特徴とする請求項４記載の画像処理システム。
【請求項６】
前記画像変換手段は、前記読み取った画像データが低解像度化処理された画像データであるときは変換しないことを特徴とする請求項５記載の画像処理システム。
【請求項７】
前記画像情報記録手段は、前記記録媒体付き用紙が複数の記録媒体を有し、前記記録すべき画像データ及び画像関連情報の合計容量が当該複数の記録媒体のうちの１つの書込可能領域の容量を超えるときは、前記記録すべき画像データを前記複数の記録媒体に分割して記録することを特徴とする請求項１記載の画像処理システム。
【請求項８】
前記画像関連情報は、前記画像データのファイル名、格納場所、バージョン番号、作成日時、作成者、及び圧縮フラグを含む属性情報で構成されることを特徴とする請求項１乃至７のいずれか１項に記載の画像処理システム。
【請求項９】
前記画像データは、画像ビットマップデータ、圧縮データ、及び低解像度化データのいずれかで構成されることを特徴とする請求項１乃至８のいずれか１項に記載の画像処理システム。
【請求項１０】
前記記録媒体付き印刷用紙は、紙媒体と非接触無線ＩＣタグとを一体化させたＩＣタグ付き印刷用紙であることを特徴とする請求項１乃至９のいずれか１項に記載の画像処理システム。
【請求項１１】
前記画像形成装置は、前記画像データを用紙へ印刷するときに、前記非接触無線ＩＣタグを当該用紙上に付着させるＩＣタグ付着手段を更に備えることを特徴とする請求項１０記載の画像処理システム。
【請求項１２】
印刷書類に付加された記録媒体から画像データ及び当該画像データに関連する画像関連情報を読み取る画像情報読取手段と、
前記読み取った画像関連情報に基づいて画像データを検索する画像データ検索手段と、
前記画像データ検索手段による検索が可能な場合は該検索により取得した画像データに基づいて印刷を実行し、該検索が不可能な場合は前記画像情報読取手段により前記記録媒体から読み取った画像データに基づいて印刷を実行する印刷制御手段とを備えることを特徴とする画像形成装置。
【請求項１３】
前記印刷書類を光学的に走査してスキャン画像データを生成する原稿読取手段と、
前記読み取った画像データが圧縮された画像データか否かを判別する圧縮データ判別手段と、
前記読み取った画像データが圧縮された画像データであり且つ前記画像データ検索手段により画像データを検索できないときは、前記印刷制御手段で印刷を実行させる画像データとして前記原稿読取手段によるスキャン画像データの生成を選択させる画像データ選択手段と、
前記選択の結果、スキャン画像データの生成が選択されないときは、前記圧縮された画像データを前記読み取った画像関連情報に基づいて変換する画像変換手段とを更に備えることを特徴とする請求項１２記載の画像形成装置。
【請求項１４】
前記画像変換手段は、前記読み取った画像データが低解像度化処理された画像データであるときは変換しないことを特徴とする請求項１３記載の画像形成装置。
【請求項１５】
前記印刷書類に対する印刷モードを選択させる印刷モード選択手段と、
前記選択された印刷モードに応じて印刷用紙を選択する印刷用紙選択手段と、
前記印刷用紙選択手段により記録媒体付き用紙が選択されたときは、前記複写印刷が実行された画像データ及び当該画像データに関連する画像関連情報を記録媒体付き用紙上の記録媒体に記録する画像情報記録手段と、
前記記録すべき画像データ及び画像関連情報の合計容量が前記記録媒体付き用紙上の記録媒体の書込可能領域の容量を超えるときは、前記記録すべき画像データに前記書込可能領域の容量に応じた所定の圧縮処理を行う画像圧縮手段とを更に備えることを特徴とする請求項１２乃至１４のいずれか１項に記載の画像形成装置。
【請求項１６】
前記所定の圧縮処理には、前記画像データの低解像度化処理が含まれることを特徴とする請求項１５記載の画像形成装置。
【請求項１７】
前記画像情報記録手段は、前記記録媒体付き用紙が複数の記録媒体を有し、且つ前記記録すべき画像データ及び画像関連情報の合計容量が当該複数の記録媒体のうちの１つの書込可能領域の容量を超えるときは、前記所定の圧縮処理を行うことなく前記記録すべき画像データを前記複数の記録媒体に分割して記録することを特徴とする請求項１５又は１６記載の画像形成装置。
【請求項１８】
前記画像関連情報は、前記画像データのファイル名、格納場所、バージョン番号、作成日時、作成者、及び圧縮フラグを含む属性情報で構成されることを特徴とする請求項１２乃至１７のいずれか１項に記載の画像形成装置。
【請求項１９】
前記画像データは、画像ビットマップデータ、圧縮データ、及び低解像度化データのいずれかで構成されることを特徴とする請求項１２乃至１８のいずれか１項に記載の画像形成装置。
【請求項２０】
前記記録媒体付き印刷用紙は、紙媒体と非接触無線ＩＣタグとを一体化させたＩＣタグ付き印刷用紙であることを特徴とする請求項１２乃至１９のいずれか１項に記載の画像形成装置。
【請求項２１】
前記画像形成装置は、前記画像データを用紙へ印刷するときに、前記非接触無線ＩＣタグを当該用紙上に付着させるＩＣタグ付着手段を更に備えることを特徴とする請求項２０記載の画像形成装置。
【請求項２２】
複数の画像データを格納可能なデータベース装置が格納している画像データの中から選択された画像データを印刷可能な画像形成装置において、
前記選択された画像データを受信する受信手段と、
前記受信手段で受信した画像データを、記録媒体付き用紙上に印刷する印刷手段と、
前記受信手段で受信した画像データを前記データベース装置から取得するための特定情報を前記記録媒体に記録する記録手段とを有することを特徴とする画像形成装置。
【請求項２３】
前記記録手段は、前記受信手段で受信した画像データを前記記録媒体に記録し、前記印刷手段は前記記録媒体に記録された画像データに基づき印刷可能であることを特徴とする請求項２２記載の画像形成装置。
【請求項２４】
前記受信手段は、印刷ジョブを生成可能な情報処理端末から送信された印刷ジョブに基づき画像データを受信することを特徴とする請求項２２記載の画像形成装置。
【請求項２５】
前記記録手段で記録された特定情報に基づき前記データベース装置から画像データを検索する検索手段を更に有し、
前記受信手段は、前記検索手段による検索に基づき画像データを受信することを特徴とする請求項２２記載の画像形成装置。
【請求項２６】
複数の画像データを格納可能なデータベース装置と、受信した画像データに基づき印刷を実行する画像形成装置とに接続された情報処理装置において、
前記データベース装置に格納された画像データを選択させる選択手段と、
前記選択手段で選択された画像データを前記データベース装置から取得するための特定情報を発生する発生手段と、
前記選択手段で選択された画像データ、前記発生手段で発生した特定情報及び記録媒体付き用紙への印刷指示を含む印刷ジョブを作成する作成手段と、
前記作成手段により作成された印刷ジョブを前記画像形成装置に送信する送信手段とを有することを特徴とする情報処理装置。
【請求項２７】
複数の画像データを格納するデータベース装置と、前記画像データに基づく印刷ジョブを送信する情報処理端末と、前記情報処理端末から受信した印刷ジョブに基づいて印刷を実行する画像形成装置とが互いにネットワークを介して接続された画像処理システムの制御方法において、
前記データベース装置に格納された複数の画像データの中から印刷対象となる画像データを選択させる画像データ選択工程と、
前記選択された画像データを前記データベース装置から取得する画像データ取得工程と、
前記画像データに対する印刷モードを選択させる印刷モード選択工程と、
前記取得した画像データ及び前記選択された印刷モードに基づいて印刷ジョブを作成する印刷ジョブ作成工程と、
前記作成された印刷ジョブに含まれる印刷モードに応じて印刷用紙を選択する印刷用紙選択工程と、
前記作成された印刷ジョブに含まれる画像データ及び当該画像データに関連する画像関連情報を記録媒体付き用紙上の記録媒体に記録する画像情報記録工程と、
前記作成された印刷ジョブに基づいて前記記録媒体付き用紙に印刷する印刷工程とを有することを特徴とする画像処理システムの制御方法。
【請求項２８】
印刷書類に付加された記録媒体から画像データ及び当該画像データに関連する画像関連情報を読み取る画像情報読取工程と、
前記読み取った画像関連情報に基づいて画像データを検索する画像データ検索工程と、
前記画像データ検索工程による検索が可能な場合は該検索により取得した画像データに基づいて印刷を実行し、該検索が不可能な場合は前記画像情報読取工程で前記記録媒体から読み取った画像データに基づいて印刷を実行する印刷制御工程とを有することを特徴とする画像形成装置の制御方法。
【請求項２９】
複数の画像データを格納可能なデータベース装置が格納している画像データの中から選択された画像データを印刷可能な画像形成装置の制御方法において、
前記選択された画像データを受信する受信工程と、
前記受信工程で受信した画像データを、記録媒体付き用紙上に印刷する印刷工程と、
前記受信工程で受信した画像データを前記データベース装置から取得するための特定情報を前記記録媒体に記録する記録工程とを有することを特徴とする画像形成装置の制御方法。
【請求項３０】
複数の画像データを格納可能なデータベース装置と、受信した画像データに基づき印刷を実行する画像形成装置とに接続された情報処理装置の制御方法において、
前記データベース装置に格納された画像データを選択させる選択工程と、
前記選択工程で選択された画像データを前記データベース装置から取得するための特定情報を発生する発生工程と、
前記選択工程で選択された画像データ、前記発生工程で発生した特定情報及び記録媒体付き用紙への印刷指示を含む印刷ジョブを作成する作成工程と、
前記作成工程で作成された印刷ジョブを前記画像形成装置に送信する送信工程とを有することを特徴とする情報処理装置の制御方法。
【請求項３１】
請求項２８乃至３０のいずれか１項に記載の制御方法をコンピュータに実行させるためのコンピュータに読み取り可能なプログラム。
【発明の詳細な説明】
【技術分野】
【０００１】
本発明は、画像処理システム及びその制御方法、画像形成装置及びその制御方法、並びにプログラムに関する。特に、ＲＦＩＤ技術を利用した印刷書類の複写処理を実行することが可能な画像処理システム及びその制御方法、画像形成装置及びその制御方法、並びにプログラムに関する。
【背景技術】
【０００２】
従来の画像処理システムでは、様々な形式の画像データがデータベースに複数格納され、利用者が適宜コンピュータ等の情報処理端末からデータベースにアクセスし、所望の画像データを取得することが一般的に行われている。利用者は、取得した画像データを情報処理端末の表示部に表示させて閲覧したり、プリンタで印刷書類として印刷したりしている。
【０００３】
従来、複写装置を用いて印刷書類（原稿）の複写を行う場合、いわゆる「電子写真プロセス」による印刷が一般的に行われている。電子写真プロセスを用いた複写装置では、プラテンガラス（原稿載置用ガラス台）上に載置された複写対象の原稿から光学的に読み取った画像データ（スキャン画像データ）に基づいて印刷が行われる。具体的には、スキャン画像データに基づいて、光導電性を有する感光体に帯電、露光して静電潜像を形成し、これに一定の帯電量を持つトナーを静電気力により付着させて可現像化する。そして、該トナー像に紙を密着させてトナーとは逆極性の電荷を紙裏面から付与することでトナーを静電気的に紙に吸引することにより転写させる。
【０００４】
一方、近年、耐環境性に優れた数ｍｍ〜数ｃｍ程度の大きさの微小な無線チップ（非接触無線ＩＣタグ）により人やモノを識別・管理するＲＦＩＤ（Radio Frequency-Identification：電波方式認識）技術に注目が集まっている。特に、流通業界では、バーコードに代わる商品識別・管理技術としてＲＦＩＤ技術の研究が進められている。その上、ＲＦＩＤ技術は、社会のＩＴ化・自動化を推進する上での基盤技術として認識されつつあり、流通だけでなく、物流、食品、情報家電、環境、道路・交通、高齢者、医療・薬品、金融、教育などの幅広い分野での活用が期待されている。
【０００５】
非接触無線ＩＣタグは、超小型アンテナとメモリ（非接触型ＩＣチップ）を内蔵し、無線による該メモリへのデータの読み書きが可能なデバイスである。このような非接触無線ＩＣタグにデータを記憶させ、該非接触無線ＩＣタグから発信される電波を読取装置（ＩＣタグリーダライタ）で受信することにより、非接触無線ＩＣタグに記憶されたデータを読み取っている。また、近年は、非接触電力伝送技術により、電池を設けることなく半永久的に利用可能なパッシブ型の非接触無線ＩＣタグも登場している。
【０００６】
非接触無線ＩＣタグには、ラベル型、カード型、コイン型、スティック型など様々な形状があり、用途に応じて選択される。最近では、非接触型ＩＣチップとアンテナを一体化させて０．４ｍｍ角（厚み０．０６ｍｍ）の正方形の容器に収めた米粒より小さいタグ（例えば「アンテナ内蔵型ミューチップ」（日立製作所製））も開発されており、デバイスの製造技術も飛躍的に高くなってきている。非接触無線ＩＣタグと読取装置との間の通信可能距離は、数ｍｍ程度のものから数ｍのものがあり、用途に応じて使い分けられる。
【０００７】
近年では、印刷書類の複写を実施させるために、該印刷書類上に設けられた非接触無線ＩＣタグから読み取ったＩＤ情報に基づいてデータベースから当該印刷書類の印刷時に用いられたオリジナルの画像データを検索する画像処理システムが提案されている。この画像処理システムでは、検索して得られたオリジナル画像データに基づく複写処理をプリンタに行わせるための印刷ジョブが該プリンタに送信されることで、高精細な複写書類が得られ、且つ利用者による複写対象データの検索処理の手間を省くことができる（特許文献１参照）。
【特許文献１】特開２００４−２４９４９９号公報
【発明の開示】
【発明が解決しようとする課題】
【０００８】
従来の一般的な複写装置を用いて印刷書類（原稿）の複写を行う場合、原稿に折り目や汚れなどの劣化、手書きのコメント、サイン、押印、メモなどの書き込みが存在するときは、劣化等を排除した複写書類を得ることは困難である。また、プラテンガラス上に原稿が傾いて置かれた場合も、その傾きがそのまま転写されてしまうという問題がある。このような問題を解決するために、上記特許文献１の画像処理システムが利用されている。
【０００９】
しかしながら、上記従来の画像処理システムでは、印刷書類の複写時にデータベースにオリジナルの画像データが存在しない場合や一時的なネットワーク障害などによってデータベースにアクセス不能な場合は、情報処理端末からプリンタへの複写処理が不可能になるという問題がある。
【００１０】
本発明は、上記問題に鑑みて成されたものであり、印刷書類の複写を行う際に、利用者がデータ検索を行うことなく、印刷書類と同等品質の複写書類を容易に取得することができる画像処理システムを提供することを目的とする。また、画像処理システムの制御方法、画像形成装置及びその制御方法、並びにプログラムを提供することを目的とする。
【課題を解決するための手段】
【００１１】
上記目的を達成するために、請求項１記載の画像処理システムは、複数の画像データを格納するデータベース装置と、前記画像データに基づく印刷ジョブを送信する情報処理端末と、前記情報処理端末から受信した印刷ジョブに基づいて印刷を実行する画像形成装置とが互いにネットワークを介して接続された画像処理システムにおいて、前記情報処理端末は、前記データベース装置に格納された複数の画像データの中から印刷対象となる画像データを選択させる画像データ選択手段と、前記選択された画像データを前記データベース装置から取得する画像データ取得手段と、前記画像データに対する印刷モードを選択させる印刷モード選択手段と、前記取得した画像データ及び前記選択された印刷モードに基づいて印刷ジョブを作成する印刷ジョブ作成手段とを備え、前記画像形成装置は、前記印刷ジョブを受信する印刷ジョブ受信手段と、前記受信した印刷ジョブに含まれる印刷モードに応じて印刷用紙を選択する印刷用紙選択手段と、前記印刷用紙選択手段により選択された記録媒体付き用紙の記録媒体に、前記受信した印刷ジョブに含まれる画像データ及び当該画像データに関連する画像関連情報を記録する画像情報記録手段と、前記受信した印刷ジョブに基づいて前記記録媒体付き用紙に印刷する印刷手段とを有することを特徴とする。
【００１２】
上記目的を達成するために、請求項１２記載の画像形成装置は、印刷書類に付加された記録媒体から画像データ及び当該画像データに関連する画像関連情報を読み取る画像情報読取手段と、前記読み取った画像関連情報に基づいて画像データを検索する画像データ検索手段と、前記画像データ検索手段による検索が可能な場合は該検索により取得した画像データに基づいて印刷を実行し、該検索が不可能な場合は前記画像情報読取手段で前記記録媒体から読み取った画像データに基づいて印刷を実行する印刷制御手段とを備えることを特徴とする。
【００１３】
上記目的を達成するために、請求項２２記載の画像形成装置は、複数の画像データを格納可能なデータベース装置が格納している画像データの中から選択された画像データを印刷可能な画像形成装置において、前記選択された画像データを受信する受信手段と、前記受信手段で受信した画像データを、記録媒体付き用紙上に印刷する印刷手段と、前記受信手段で受信した画像データを前記データベース装置から取得するための特定情報を前記記録媒体に記録する記録手段とを有することを特徴とする。
【００１４】
上記目的を達成するために、請求項２６記載の情報処理装置は、複数の画像データを格納可能なデータベース装置と、受信した画像データに基づき印刷を実行する画像形成装置とに接続された情報処理装置において、前記データベース装置に格納された画像データを選択する選択手段と、前記選択手段で選択された画像データを前記データベース装置から取得するための特定情報を発生する発生手段と、前記選択手段で選択した画像データ、前記発生手段で発生した特定情報及び記録媒体付き用紙への印刷指示を含む印刷ジョブを作成する作成手段と、前記作成手段により作成した印刷ジョブを前記画像形成装置に送信する送信手段とを有することを特徴とする。
【００１５】
上記目的を達成するために、請求項２７記載の画像処理システムの制御方法は、複数の画像データを格納するデータベース装置と、前記画像データに基づく印刷ジョブを送信する情報処理端末と、前記情報処理端末から受信した印刷ジョブに基づいて印刷を実行する画像形成装置とが互いにネットワークを介して接続された画像処理システムの制御方法において、前記データベース装置に格納された複数の画像データの中から印刷対象となる画像データを選択させる画像データ選択工程と、前記選択された画像データを前記データベース装置から取得する画像データ取得工程と、前記画像データに対する印刷モードを選択させる印刷モード選択工程と、前記取得した画像データ及び前記選択された印刷モードに基づいて印刷ジョブを作成する印刷ジョブ作成工程と、前記作成された印刷ジョブに含まれる印刷モードに応じて印刷用紙を選択する印刷用紙選択工程と、前記作成された印刷ジョブに含まれる画像データ及び当該画像データに関連する画像関連情報を記録媒体付き用紙上の記録媒体に記録する画像情報記録工程と、前記作成された印刷ジョブに基づいて前記記録媒体付き用紙に印刷する印刷工程とを有することを特徴とする。
【００１６】
上記目的を達成するために、請求項２８記載の画像形成装置の制御方法は、印刷書類に付加された記録媒体から画像データ及び当該画像データに関連する画像関連情報を読み取る画像情報読取工程と、前記読み取った画像関連情報に基づいて画像データを検索する画像データ検索工程と、前記画像データ検索工程による検索が可能な場合は該検索により取得した画像データに基づいて印刷を実行し、該検索が不可能な場合は前記画像情報読取工程で前記記録媒体から読み取った画像データに基づいて印刷を実行する印刷制御工程とを有することを特徴とする。
【００１７】
上記目的を達成するために、請求項２９記載の画像形成装置の制御方法は、複数の画像データを格納可能なデータベース装置が格納している画像データの中から選択された画像データを印刷可能な画像形成装置の制御方法において、前記選択された画像データを受信する受信工程と、前記受信工程で受信した画像データを、記録媒体付き用紙上に印刷する印刷工程と、前記受信工程で受信した画像データを前記データベース装置から取得するための特定情報を前記記録媒体に記録する記録工程とを有することを特徴とする。
【００１８】
上記目的を達成するために、請求項３０記載の情報処理装置の制御方法は、複数の画像データを格納可能なデータベース装置と、受信した画像データに基づき印刷を実行する画像形成装置とに接続された情報処理装置の制御方法において、前記データベース装置に格納された画像データを選択する選択工程と、前記選択工程で選択された画像データを前記データベース装置から取得するための特定情報を発生する発生工程と、前記選択工程で選択した画像データ、前記発生工程で発生した特定情報及び記録媒体付き用紙への印刷指示を含む印刷ジョブを作成する作成工程と、前記作成工程で作成した印刷ジョブを前記画像形成装置に向けて送信する送信工程とを有することを特徴とする。
【発明の効果】
【００１９】
本発明によれば、情報処理端末において、データベース装置に格納された複数の画像データの中から印刷対象となる画像データを選択させ、選択された画像データをデータベース装置から取得し、画像データに対する印刷モードを選択させる。そして、取得した画像データ及び選択された印刷モードに基づいて印刷ジョブを作成する。更に、画像形成装置において、受信した印刷ジョブに含まれる印刷モードに応じて印刷用紙を選択する。そして、受信した印刷ジョブに含まれる画像データ及び当該画像データに関連する画像関連情報を記録媒体付き用紙上の記録媒体に記録し、受信した印刷ジョブに基づいて記録媒体付き用紙に印刷する。これにより、画像データの印刷を行う際に、利用者自身がデータ検索を行うことなく所望の画像データを選択することができ、印刷処理と同時に記録媒体付き用紙に印刷することができる。
【００２０】
また、本発明によれば、記録すべき画像データ及び画像関連情報の合計容量が記録媒体付き用紙上の記録媒体の書込可能領域の容量を超えるときは、記録すべき画像データに書込可能領域の容量に応じた所定の圧縮処理を行う。これにより、利用者が画像データの容量（サイズ）及び記録媒体の記録容量を気にすることなく、記録媒体付き用紙に印刷すると共に、該記録媒体に画像データを含む画像関連情報を記録することができる。
【００２１】
また、本発明によれば、情報処理端末において、印刷書類上の記録媒体から画像データ及び画像関連情報を読み取り、読み取った画像関連情報に基づいて画像データを検索する。そして、検索結果によりデータベース装置から画像データを取得したときは、当該取得した画像データ又は読み取った画像データのいずれか１つに基づいて印刷書類の複写用の印刷ジョブを作成する。これにより、印刷書類の複写を行う際に、利用者がデータ検索を行うことなく、印刷書類と同等品質の複写書類を容易に取得することができる。
【００２２】
また、本発明によれば、情報処理端末において、読み取った画像データが圧縮された画像データか否かを判別する。そして、読み取った画像データが圧縮された画像データであり且つデータベース装置から画像データを取得できないときは、当該圧縮された画像データを読み取った画像関連情報に基づいて変換する。そして、変換された画像データに基づいて印刷書類の複写用の印刷ジョブを作成する。これにより、データベース装置を検索して画像データ（オリジナル画像データ）が見つからなくとも、印刷書類と同等品質の複写書類を容易に取得することができる。
【００２３】
本発明によれば、印刷書類に付加された記録媒体から画像データ及び当該画像データに関連する画像関連情報を読み取り、読み取った画像関連情報に基づいて画像データを検索する。そして、検索が可能な場合は該検索により取得した画像データに基づいて印刷を実行し、該検索が不可能な場合は記録媒体から読み取った画像データに基づいて印刷を実行するので、印刷書類の複写を行う際に、利用者がデータ検索を行うことなく、印刷書類と同等品質の複写書類を容易に取得することができる。
【００２４】
本発明によれば、印刷書類を光学的に走査してスキャン画像データを生成し、読み取った画像データが圧縮された画像データか否かを判別し、読み取った画像データが圧縮された画像データであり且つ画像データを検索できないときは、印刷を実行させる画像データとしてスキャン画像データの生成を選択させる。そして、選択の結果、スキャン画像データの生成が選択されないときは、圧縮された画像データを読み取った画像関連情報に基づいて変換する。これにより、データベース装置を検索して画像データ（オリジナル画像データ）が見つからずとも、印刷書類を走査することなく印刷書類と同等品質の複写書類を容易に取得することができる。
【００２５】
本発明によれば、印刷書類に対する印刷モードを選択させ、選択された印刷モードに応じて印刷用紙を選択する。そして、記録媒体付き用紙が選択されたときは、複写印刷が実行された画像データ及び当該画像データに関連する画像関連情報を記録媒体付き用紙上の記録媒体に記録する。更に、記録すべき画像データ及び画像関連情報の合計容量が記録媒体付き用紙上の記録媒体の書込可能領域の容量を超えるときは、記録すべき画像データに書込可能領域の容量に応じた所定の圧縮処理を行う。これにより、利用者が画像データの容量（サイズ）及び記録媒体の記録容量を気にすることなく、記録媒体付き用紙に印刷すると共に、該記録媒体に画像データを含む画像関連情報を記録することができる。
【発明を実施するための最良の形態】
【００２６】
以下、本発明の実施の形態を図面を参照して詳細に説明する。
【００２７】
［第１の実施の形態］
図１は、本発明の第１の実施の形態に係る画像処理システムの全体構成を示す図である。
【００２８】
図１において、本画像処理システムは、パーソナルコンピュータ等のクライアント端末１（情報処理端末）と、データベース装置５と、プリントサーバ装置１０（情報処理装置）と、複写装置１１（画像形成装置）と、それらを互いに接続するＬＡＮ（Local Area Network）等のネットワーク２１とで構成される。なお、プリントサーバ装置１０は複写装置１１内に内蔵させるようにしてもよい。また、データベース装置５はクライアント端末１内に内蔵させてもよいし、複写装置１１内に内蔵させてもよい。
【００２９】
クライアント端末１は、利用者２５が操作可能な情報処理端末であり、ディスプレイ３、不図示のキーボードやマウスを備える。クライアント端末１には、印刷書類２３上に物理的に設けられた非接触無線ＩＣタグ（以下、単に「ＩＣタグ」という）１４に対してデータの読み書きを行うＩＣタグリーダライタ装置２が接続されている。ここで、印刷書類２３は、複写装置１１又は他のプリンタにより紙媒体である印刷用紙に所定の画像が印刷された印刷物である。なお、印刷書類２３は、１枚の紙媒体であっても、複数枚の紙束であってもよい。また、印刷書類２３は雑誌や書籍等であってもよい。
【００３０】
データベース装置５は複数の画像データを格納する。クライアント端末１は、データベース装置５に格納された画像データの印刷、印刷書類の複写、及び各種データの送受信を行う。プリントサーバ装置（情報処理装置）１０は、クライアント端末１から受信した印刷ジョブを格納する。
【００３１】
複写装置１１は、画像の読み取り機能を有するスキャナ部と、印刷処理を行う出力エンジンとを備える。スキャナ部には第１のＩＣタグリーダライタ装置１２が設置されており、出力エンジンには第２のＩＣタグリーダライタ装置１６が設置されている。
【００３２】
第１のＩＣタグリーダライタ装置１２及び第２のＩＣタグリーダライタ装置１６は、印刷用紙１３への画像データの印刷の際に、該印刷用紙１３上に物理的に設けられたＩＣタグ１４に対してデータの読み書きを行う。また、印刷書類２３の複写の際には、印刷書類２３上のＩＣタグ１４に対してデータの読み書きを行う。
【００３３】
ＩＣタグ１４は、超小型アンテナ及びメモリ（非接触型ＩＣチップ）を内蔵し、無線による該メモリへのデータの読み書きが可能なデバイスである。本実施の形態では、ＩＣタグ１４にはＩＣタグ記録用画像データ１１１４が格納される。ＩＣタグ１４に格納されるＩＣタグ記録用画像データ１１１４の概略構造を図１１に示す。
【００３４】
図１１において、ＩＣタグ記録用画像データ１１１４は、画像属性データ１１１５と画像内容データ１１１６とで構成される。画像属性データ１１１５は、画像データに関するファイル名、格納場所情報Ａ（データベース装置（ＤＢ）内のディレクトリパス情報）、格納場所情報Ｂ（データベース装置のＩＰアドレス）、バージョン番号、作成日時、作成者、圧縮フラグなどの情報を有する。
【００３５】
画像内容データ１１１６は、ビットマップ形式の画像データである画像ビットマップデータ又はＩＣタグ１４の記録可能容量に応じて画像ビットマップデータが所定の圧縮方式で圧縮（画像低解像度化も含む）された圧縮データ（あるいは低解像度化データ）である。なお、本画像処理システムでは、ネットワーク２１に接続される装置は図示の装置に限られないことは云うまでもない。
【００３６】
次に、図１のクライアント端末１及びデータベース装置５の構成を図２（ａ）及び図２（ｂ）を参照して説明する。
【００３７】
図２（ａ）は図１のクライアント端末１の構成を示す図であり、図２（ｂ）は図１のデータベース装置５の構成を示す図である。
【００３８】
図２（ａ）において、クライアント端末１は、ＣＰＵ２０２と、入力部２０３と、通信部２０４と、ＲＯＭ２０５と、ＲＡＭ２０６と、表示部２０７と、ファイル装置２０９と、ＩＣタグリーダライタ２と、これらの各構成要素を接続するバス２０８とを備える。ここで、ＩＣタグリーダライタ２は、図１に示すように、クライアント端末１の外部装置として接続されていても、図２（ａ）に示すように内部装置として接続されていてもよい。
【００３９】
ＣＰＵ２０２は、ＲＡＭ２０６に記憶されているアプリケーションプログラム及びプリンタドライバプログラムに基づいて、演算処理等を行う。また、上述した各構成要素を制御し、クライアント端末１を機能させる。
【００４０】
入力部２０３は、キーボードやマウス等で構成され、クライアント端末１を利用する利用者２５の操作により入力されたデータをバス２０８を介してＣＰＵ２０２等に出力する。通信部２０４は、クライアント端末１に入出力するデータに対してプロトコルの変換等を行うネットワークＩ／Ｆであり、ネットワーク２１を経由したクライアント端末１によるデータの送受信を可能にする。
【００４１】
ＲＯＭ２０５は、アプリケーションプログラム及びプリンタドライバプログラムを含む、ＣＰＵ２０２により実行される制御プログラムを記憶する読み出し専用メモリである。ＣＰＵ２０２は、ＲＯＭ２０５から所定のタイミングで必要な制御プログラムを読み出して実行する。
【００４２】
ＲＡＭ２０６は、ハードディスク等を含む記憶装置により構成され、ＣＰＵ２０２により実行される処理に必要なデータ等を一時的に記憶する。また、ＲＡＭ２０６には、後述する印刷処理や複写処理を実行するためのクライアント端末制御プログラムが記憶される。
【００４３】
表示部２０７は、液晶ディスプレイ等から成り、ＣＰＵ２０２により実行される処理に必要な情報の表示を行う。ファイル装置２０９は、ＣＰＵ２０２により実行される処理に必要なデータを格納する。
【００４４】
ＩＣタグリーダライタ２は、ＩＣタグ付きの印刷書類２３等のＩＣタグ１４に対してデータの読み書きを行い、必要に応じて読み出したデータをバス２０８へ出力する。
【００４５】
図２（ｂ）において、データベース装置５は、ＣＰＵ２４１と、通信部２４２と、データ格納部２４５と、入力部２４６と、表示部２４７と、ＲＯＭ２４３と、ＲＡＭ２４４と、これらの各構成要素を接続するバス２４８とを備える。
【００４６】
ＣＰＵ２４１は、ＲＯＭ２４５に記憶されている制御プログラムに基づいて、演算処理を行い、データベース装置５を制御する。
【００４７】
通信部２４２は、データベース装置５に入出力するデータに対してプロトコルの変換等を行うネットワークＩ／Ｆであり、ネットワーク２１を経由したデータベース装置５とクライアント端末１との間のデータ通信を可能にする。
【００４８】
ＲＯＭ２４３は、ＣＰＵ２４１により実行される制御プログラムを記憶する読み出し専用メモリである。ＣＰＵ２４１は、ＲＯＭ２４３から所定のタイミングで必要な制御プログラムを読み出して実行する。ＲＡＭ２４４は、ＣＰＵ２４１により実行される処理に必要なデータ等を一時的に記憶する。
【００４９】
データ格納部２４５は、様々な形式の画像データを複数格納することが可能な大容量ハードディスク等を含む記憶装置である。データ格納部２４５に格納される画像データの概略構造を図１０に示す。
【００５０】
図１０において、画像データ８０１は、画像属性データ８０２と画像ビットマップデータ８０３とで構成される。画像属性データ８０２は、画像データに関する、ファイル名、格納場所情報Ａ（データベース装置（ＤＢ）内のディレクトリパス情報）、格納場所情報Ｂ（データベース装置のＩＰアドレス）、バージョン番号、作成日時、作成者、圧縮フラグなどの情報を有する。画像ビットマップデータ８０３は、ビットマップ形式の画像データである。
【００５１】
入力部２４６は、データベース装置５の制御に必要なデータ等を入力する際に用いられる。表示部２４７は、液晶ディスプレイ等から成り、ＣＰＵ２４１により実行される処理に必要な情報の表示を行う。
【００５２】
次に、図１の複写装置１１及びプリントサーバ装置１０の構成を図３（ａ）及び図３（ｂ）を参照して説明する。
【００５３】
図３（ａ）は図１の複写装置１１の構成を示す図であり、図３（ｂ）は図１のプリントサーバ装置１０の構成を示す図である。
【００５４】
図３（ａ）において、複写装置１１は、ＣＰＵ２１２と、通信部２１４と、ＲＯＭ２１５と、ＲＡＭ２１６と、出力エンジン２１７と、排紙部２１８と、入力部２２０と、表示部２２１と、スキャナ部１５とを備える。また、複写装置１１は、第１のＩＣタグリーダライタ１２と、第２のＩＣタグリーダライタ１６と、これらの各構成要素を接続するバス２１９とを備える。
【００５５】
ＣＰＵ２１２は、ＲＯＭ２１５に記憶されている制御プログラムに基づいて、演算処理を行い、複写装置１１を制御する。通信部２１４は、複写装置１１に入出力するデータに対してプロトコルの変換等を行うネットワークＩ／Ｆであり、ネットワーク２１を経由した複写装置１１とプリントサーバ装置１０との間のデータ通信を可能にする。
【００５６】
ＲＯＭ２１５は、後述する印刷処理や複写処理を実行するための複写装置制御用の制御プログラムを記憶するメモリである。ＣＰＵ２１２は、ＲＯＭ２１５から所定のタイミングで必要なプログラムを読み出して実行する。ＲＡＭ２１６は、ＣＰＵ２１２により実行される処理に必要なデータ等を一時的に記憶する。
【００５７】
スキャナ部１５は、複写装置１１のプラテンガラス（原稿載置用ガラス板）上に載置された複写対象の印刷書類２３等の原稿を走査しながら画像を読み取り、スキャン画像データを生成する処理を行う。
【００５８】
出力エンジン２１７は、上述した電子写真プロセスによる印刷処理を行うためのレーザービーム方式の印刷部を備える。出力エンジン２１７は、ＣＰＵ２１２の制御により、印刷ジョブデータ、オリジナル画像データ、及びスキャン画像データのいずれかに基づいた印刷処理を行う。ここで、印刷ジョブデータは、クライアント端末１で作成され、プリントサーバ装置１０を介して受信したものである。オリジナル画像データは、印刷書類等に印刷された画像の元画像データであって、データベース装置５に格納され、該データベース装置５から取得されたものである。スキャン画像データは、スキャナ部１５にて印刷書類２３等を走査することにより読み取られた画像データである。
【００５９】
排紙部２１８は、出力エンジン２１７にて印刷された印刷用紙１３を複写装置１１の排紙トレイ上に排紙する処理を行う。入力部２２０は、印刷処理の制御に必要なデータやコマンド等を入力する際に用いられる。表示部２２１は、液晶ディスプレイ等から成り、利用者２５に対する指示やメッセージなどを表示したり、ＣＰＵ２１２により実行される処理に必要な情報の表示を行う。
【００６０】
第１のＩＣタグリーダライタ１２は出力エンジン２１７内に設置されている。第１のＩＣタグリーダライタ１２は、印刷処理が行われる際に、印刷用紙１３の無線ＩＣタグ１４に対してデータの読み書きを行い、必要に応じて読み取ったデータをバス２１９へ出力する。
【００６１】
第２のＩＣタグリーダライタ１２は、スキャナ部１５のプラテンガラス内部に設置されている。第２のＩＣタグリーダライタ１２は、プラテンガラス上に置かれた複写の対象となる印刷書類２３の走査の際、該印刷書類２３の無線ＩＣタグ１４に対してデータの読み書きを行い、必要に応じて読み取ったデータをバス２１９へ出力する。
【００６２】
図３（ｂ）において、プリントサーバ装置１０は、ＣＰＵ２３１と、印刷ジョブを格納するためのデータ格納部２３５と、通信部２３２と、ＲＯＭ２３３と、ＲＡＭ２３４と、入力部２３６と、表示部２３７と、これらの各構成要素を接続するバス２３６とを備える。
【００６３】
ＣＰＵ２３１は、ＲＯＭ２３３に記憶されている制御プログラムに基づいて、演算処理を行い、プリントサーバ装置１０を制御する。
【００６４】
通信部２３２は、プリントサーバ装置１０から出力するデータ及びプリントサーバ装置１０に入力するデータに対してプロトコルの変換等を行うネットワークＩ／Ｆである。そして、ネットワーク２１を経由したプリントサーバ装置１０とクライアント端末１との間のデータ通信及びプリントサーバ装置１０と複写装置１１との間のデータ通信を可能としている。
【００６５】
ＲＯＭ２３３は、プリントサーバ装置の制御プログラムを記憶するメモリである。ＣＰＵ２３１は、ＲＯＭ２３３から所定のタイミングで必要なプログラムを読み出して実行する。ＲＡＭ２３４は、ＣＰＵ２３１により実行される処理に必要なデータ等を一時的に記憶する。
【００６６】
データ格納部２３５は、クライアント端末１から受信した印刷ジョブデータのキュー（待ち行列）に格納する。入力部２３６は、プリントサーバ装置１０の制御に必要なデータ等を入力する際に用いられる。表示部２３７は、液晶ディスプレイ等から成り、ＣＰＵ２３１により実行される処理に必要な情報の表示を行う。
【００６７】
以上のように、クライアント端末１、データベース装置５、複写装置１１、及びプリントサーバ装置１０は、それぞれＣＰＵを備える。そして、インストールされたプログラム又は予め記憶されたプログラムに基づいて、本実施の形態における画像処理システムを実現するための手段として機能するように構成されている。
【００６８】
次に、図１の画像処理システムにおける複写動作の概要を説明する。
【００６９】
利用者２５は、クライアント端末１を操作し、ディスプレイ３にデータベース装置５に格納されている画像データ（データ格納部２４５に格納されている画像データ８０１）の画像を複数表示させる。そして、表示されている複数の画像の中から所望の画像を選択し、当該選択した画像データの印刷処理を開始するための印刷コマンドをクライアント端末１の入力部２０３から入力する。その結果、クライアント端末１は、印刷ジョブデータをネットワーク２１を経由してプリントサーバ装置１０へ送信する。印刷ジョブデータ（印刷ジョブデータ７０１）は、図５に示すように、印刷データ７１１、印刷モード７１２、画像属性データ７１４、及び画像ビットマップデータ７１５という４種類のデータで構成される。
【００７０】
プリントサーバ装置１０は、受信した印刷ジョブデータを格納して管理する。印刷ジョブデータは、プリントサーバ装置１０内の印刷ジョブデータのキューの最後尾へ格納され、印刷処理の順番待ちが行われる。そして、プリントサーバ装置１０は、複写装置１１のステータスが待ち状態（“ＷＡＩＴ”）のときに、キューの先頭の印刷ジョブデータを複写装置１１へ送信する。
【００７１】
複写装置１１は、受信した印刷ジョブデータに含まれる印刷モードが“ＩＣタグ付き用紙印刷”となっていた場合、ＩＣタグ付きの印刷用紙１３が格納された給紙カセットを選択し、受信した印刷ジョブデータに基づいて印刷用紙１３上へ画像を印刷する。そして、印刷と同時に、印刷用紙１３のＩＣタグ１４にＩＣタグ記録用画像データ１１１４を記録する。
【００７２】
その結果、利用者２５は、クライアント端末１又は複写装置１１から、画像が印刷された印刷用紙１３、すなわち印刷書類２３を利用して複写処理を実行することにより、所望の複写書類を取得することができる。
【００７３】
次に、クライアント端末１における複写動作の概要を説明する。
【００７４】
利用者２５が印刷書類２３を所持した状態で複写実行命令（複写命令）を入力すると、ＩＣタグリーダライタ２により印刷書類２３のＩＣタグ１４からＩＣタグ記録用画像データ１１１４が読み取られる。
【００７５】
クライアント端末１は、読み取ったＩＣタグ記録用画像データ１１１４に基づいて、画像内容データ１１１６が圧縮された画像データか否かを判断する。このとき、画像内容データ１１１６が非圧縮データである場合、オリジナル画像データの検索を実行せずに、画像内容データ１１１６に基づいた印刷ジョブデータが作成される。
【００７６】
一方、画像内容データ１１１６が圧縮データである場合は、画像属性データ１１１５中の場所情報Ａ，Ｂに基づいて、ネットワーク２１上のデータベース装置５に格納されているオリジナル画像データが検索される。検索の結果、オリジナル画像データが見つかった場合、クライアント端末１は、データベース装置５からオリジナル画像データを取得し、該オリジナル画像データに基づいて印刷ジョブデータを作成する。
【００７７】
一方、データベース装置５からのオリジナル画像データの削除、移動、或いは一時的なネットワーク障害などの理由により、その時点でオリジナル画像データが見つからなかった場合は、圧縮データである画像内容データ１１１６に基づいて印刷ジョブデータが作成される。
【００７８】
そして、クライアント端末１にて作成された印刷ジョブデータがプリントサーバ装置１０へ送信され、複写装置１１にて該印刷ジョブデータに応じた印刷が実行されることにより、利用者２５が所望の複写書類を取得することができる。
【００７９】
次に、複写装置１１における複写動作の概要を説明する。
【００８０】
まず、複写装置１１のプラテンガラス（原稿載置用ガラス台）上に印刷書類２３が置かれた状態で、複写装置１１上の複写ボタン等の押下により複写命令が入力される。すると、プラテンガラスの内部に設けられた第２のＩＣタグリーダライタ１６により、印刷書類２３上のＩＣタグ１４からＩＣタグ記録用画像データ１１１４が読み取られる。
【００８１】
複写装置１１は、読み取ったＩＣタグ記録用画像データ１１１４に基づいて、画像内容データ１１１６が圧縮データか否かを判断する。このとき、画像内容データ１１１６が非圧縮データである場合、オリジナル画像データの検索やプラテンガラス上の印刷書類２３の走査を実施せずに、画像内容データ１１１６に基づいて電子写真プロセス用の印刷データが作成され、複写処理が実行される。
【００８２】
一方、画像内容データ１１１６が圧縮データである場合は、画像属性データ１１１５中の場所情報Ａ，Ｂに基づいて、ネットワーク２１上のデータベース装置５に格納されているオリジナル画像データが検索される。検索の結果、オリジナル画像データが見つかった場合、オリジナル画像データがデータベース装置５から取得される。そして、当該取得したオリジナル画像データに基づいて電子写真プロセス用の印刷データが作成され、複写処理が実行される。
【００８３】
一方、複写装置１１は、オリジナル画像データが上述した種々の理由によりデータベース装置５から取得不能である場合は、画像内容データ１１１６或いはスキャン画像データのいずれかにより複写を行うか否かの問い合わせを利用者２５に対して行う。
【００８４】
利用者２５により画像内容データ１１１６による複写が選択された場合は、圧縮データである画像内容データ１１１６が伸長された後、該伸張された画像データに基づいて電子写真プロセス用の印刷データが作成され、複写処理が実行される。
【００８５】
一方、利用者２５によりスキャン画像データによる複写が選択された場合は、プラテンガラス上の原稿の光学的走査を実施してスキャン画像データが生成され、該スキャン画像データに基づいて電子写真プロセス用の印刷データが作成され後、複写処理が実行される。
【００８６】
次に、クライアント端末１における印刷処理の流れを図４を参照して説明する。
【００８７】
図４は、クライアント端末１における印刷処理の流れを示すフローチャートである。
【００８８】
図４において、ステップＳ３０１では、利用者２５がクライアント端末１の入力部２０３からクライアント端末制御プログラムの開始命令を与えると、ＣＰＵ２０２がＲＡＭ２０６上で当該制御プログラムを展開した後、表示部２０７に所定の情報を表示する。この状態で、入力部２０３から処理終了コマンドが入力されると（ステップＳ３０１でＹＥＳ）、本処理を終了する。
【００８９】
ステップＳ３０２では、ＣＰＵ２０２は、通信部２０４を介してネットワーク２１上のデータベース装置５から取得した画像データ一覧リストを表示部２０７に表示する。画像データ一覧リストは、データベース装置５に格納されている全ての画像データに基づいて構成される。そして、利用者が画像データ一覧リストの中から所望の画像データを入力部２０３により選択すると、ＣＰＵ２０２は選択された画像データ（画像データ８０１）を通信部２０４を介してデータベース装置５から取得する。そして、ＣＰＵ２０２は、取得した画像データ８０１をＲＡＭ２０６へ格納（展開）した後、該画像データ８０１内の画像ビットマップデータ８０３に基づいて表示部２０７に画像を表示する。
【００９０】
次に、ステップＳ３０３では、表示部２０７に表示された画像の内容が利用者２５により確認された後、入力部２０３から印刷コマンドが入力されると、ＣＰＵ２０２が表示部２０７に所定の情報を表示し、利用者２５に対して印刷モードの選択の問い合わせを行う。印刷モードとしては、「通常用紙印刷」と「ＩＣタグ付き用紙印刷」の２種類がある。ステップＳ３０３の判別の結果、「通常用紙印刷」が選択された場合は、ＣＰＵ２０２は印刷モードを示す変数：ｐｒｉｎｔ＿ｍｏｄｅに１を代入して（ステップＳ３０４）、ステップＳ３０６へ進む。一方、「ＩＣタグ付き用紙印刷」が選択された場合は、ＣＰＵ２０２は変数：ｐｒｉｎｔ＿ｍｏｄｅに２を代入して（ステップＳ３０５）、ステップＳ３０６へ進む。
【００９１】
ステップＳ３０６では、ＣＰＵ２０２は、ＲＡＭ２０６に格納されている画像データ８０１に基づいて印刷ジョブデータを作成し、通信部２０４を介してプリントサーバ装置１０へ送信して、ステップＳ３０１へ戻る。ここで作成される印刷ジョブデータ（印刷ジョブデータ７０１）は、図５に示すように、印刷データ７１１と、印刷モード７１２と、画像属性データ７１４と、画像ビットマップデータ７１５とで構成される。
【００９２】
印刷データ７１１には、ＲＡＭ２０６内の画像データ８０１に含まれる画像ビットマップデータ８０３から適切に変換された、複写装置１１で印刷処理が可能な印刷データが格納される。この印刷データは、例えばページ記述言語などで構成される。
【００９３】
印刷モード７１２には、ｐｒｉｎｔ＿ｍｏｄｅ値（１あるいは２）が格納される。また、画像属性データ７１４、画像ビットマップデータ７１５には、ＲＡＭ２０６内の画像データ８０１に含まれる画像属性データ８０２、画像ビットマップデータ８０３が格納される。
【００９４】
次に、プリントサーバ装置１０における印刷ジョブデータの受信処理の流れを図６を参照して説明する。
【００９５】
図６は、プリントサーバ装置１０における印刷ジョブデータ受信処理の流れを示すフローチャートである。
【００９６】
図６において、ステップＳ４０１では、システムの管理者が入力部２３６からプリントサーバ制御プログラム（スプールサービス）の開始命令を指示すると、ＣＰＵ２３１がＲＡＭ２３６上で当該制御プログラムを展開した後、表示部２３８に所定の情報を表示する。この状態で入力部２３７から処理終了コマンドが入力されると（ステップＳ４０１でＹＥＳ）、本処理を終了する。
【００９７】
ステップＳ４０２では、ＣＰＵ２３１は、図５に示すように、データ格納部２３５における印刷ジョブデータのキュー７０２内の印刷ジョブデータの有無を判別し、印刷ジョブデータがあるときは、ステップＳ４０３へ進む一方、ないときはステップＳ４０６へ進む。
【００９８】
ステップＳ４０３では、ＣＰＵ２３１は複写装置１１と交信し、該複写装置１１の動作ステータスを確認（チェック）する。ここで、動作ステータスが“ＷＡＩＴ（待機状態）”ならばステップＳ４０４へ進む一方、“ＢＵＳＹ（印刷中）”ならばステップＳ４０１へ戻る。
【００９９】
ステップＳ４０４では、ＣＰＵ２３１は、印刷ジョブデータのキュー７０２内の先頭の印刷ジョブデータ（印刷ジョブデータ１  ７０３）を通信部２３２を介して複写装置１１へ送信する。次に、ステップＳ４０５では、ＣＰＵ２３１は、送信したキュー７０２内の先頭の印刷ジョブデータ（印刷ジョブデータ１  ７０３）を削除する。
【０１００】
次に、ステップＳ４０６では、ＣＰＵ２３１は、クライアント端末１からの印刷ジョブデータ（印刷ジョブデータ７０１）の受信の有無を判別し、受信したときはステップＳ４０７へ進む一方、受信していないときはステップＳ４０１へ戻る。
【０１０１】
ステップＳ４０７では、ＣＰＵ２３１は、受信した印刷ジョブデータ７０１をキュー７０２の最後尾に格納（印刷ジョブデータＮ７０４）し、ステップＳ４０１へ戻る。のとして
次に、複写装置１１における印刷処理の流れを図７を参照して説明する。
【０１０２】
図７は、複写装置１１における印刷処理の流れを示すフローチャートである。
【０１０３】
図７において、ステップＳ５０１では、システムの管理者が複写装置１１の入力部２２０から複写装置制御プログラムの開始命令を与えると、ＣＰＵ２１２がＲＡＭ２１６上で当該制御プログラムを展開した後で、表示部２２１に所定の情報を表示する。この状態で入力部２２０から処理終了コマンドが入力されると（ステップＳ５０１でＹＥＳ）、本処理を終了する。
【０１０４】
次に、ステップＳ５０２では、ＣＰＵ２１２は、複写装置１１の動作ステータスを“ＷＡＩＴ（待機中）”に設定する。具体的には、ＲＡＭ２１６内のステータスを示す変数：ｓｔａｔｕｓに０を代入する。
【０１０５】
次に、ステップＳ５０３では、ＣＰＵ２１２は、通信部２１４を介してプリントサーバ装置１０から印刷ジョブデータを受信したか否かを判別し、受信したときはステップＳ５０４へ進む一方、受信していないときはステップＳ５０１へ戻る。
【０１０６】
ステップＳ５０４では、ＣＰＵ２１２が、複写装置１１の動作ステータスを“ＢＵＳＹ（印刷中）”に設定する。具体的には、ＲＡＭ２１６内の変数：ｓｔａｔｕｓに１を代入する。
【０１０７】
次に、ステップＳ５０５では、ＣＰＵ２１２が、受信した印刷ジョブデータ（印刷ジョブデータ７０１）に含まれる印刷モード（印刷モード７１２）のｐｒｉｎｔ＿ｍｏｄｅ値を参照して印刷モードを選択する。そして、ｐｒｉｎｔ＿ｍｏｄｅ値が１の場合は、通常用紙印刷を選択してステップＳ５０６へ進む一方、ｐｒｉｎｔ＿ｍｏｄｅ値が２の場合は、ＩＣタグ付き用紙印刷を選択してステップＳ５０７へ進む。
【０１０８】
ステップＳ５０６では、ＣＰＵ２１２の命令により、まず、ＩＣタグ無しの通常用紙の給紙カセットが選択される。次に、ＣＰＵ２１２の命令により、出力エンジン２１７が印刷ジョブデータ内の印刷データに基づいて、給紙カセットから給紙された通常用紙上へ電子写真プロセスにより画像を印刷し、ステップＳ５１１へ進む。
【０１０９】
ステップＳ５０７では、ＣＰＵ２１２が、印刷ジョブデータ（印刷ジョブデータ７０１）に含まれる画像属性データ（画像属性データ７１４）と画像ビットマップデータ（画像ビットマップデータ７１５）の合計容量（合計サイズ）をチェックする。そして、画像属性データ７１４と画像ビットマップデータ７１５の合計サイズが、印刷用紙１３上のＩＣタグ１４の書込可能領域の容量（記憶可能容量）以下の場合は（ステップＳ５０７でＹＥＳ）、画像属性データ７１４、画像ビットマップデータ７１５をＩＣタグ記録用画像データ１１１４中の画像属性データ１１１５、画像内容データ１１１６として割り当て、ステップＳ５０９へ進む。
【０１１０】
一方、ステップＳ５０７の判別の結果、画像属性データ７１４と画像ビットマップデータ７１５の合計サイズが印刷用紙１３上のＩＣタグ１４の書込可能領域の容量を超える場合は、ステップＳ５０８へ進む。
【０１１１】
ステップＳ５０８では、ＣＰＵ２１２は、印刷用紙１３上のＩＣタグ１４の書込可能領域の容量から画像属性データ７１４のサイズを差し引いた残りの記録可能容量に応じて、画像ビットマップデータ７１５の圧縮処理を実施する。ここで、画像ビットマップデータ７１５の圧縮処理について説明する。
【０１１２】
本実施の形態では、４種類の代表的な可逆圧縮方法、（１）連長符号化、（２）ハフマン符号化、（３）算術符号化、（４）ＬＺ７８符合化が平均圧縮率が高い順に用いられる。
【０１１３】
まず、最初、画像ビットマップデータ７１５に対して（１）、（２）、（３）、（４）の順で圧縮処理を施し、各方法による圧縮データが残りの記録可能容量以下になるか否かをチェックする。もしこれらのいずれかを利用して画像ビットマップデータ７１５が記録可能容量以下に圧縮することができた場合、圧縮フラグ：ｃｏｍｐｒｅｓｓに１を代入した上で、そのときの圧縮データをＲＡＭ２１６へ格納する。
【０１１４】
一方、上述の可逆圧縮方法のいずれを用いても記録可能容量以下にできなかった場合、ＣＰＵ２１２は、代表的な非可逆圧縮法の一つであるＪＰＥＧ圧縮法或いは画像低解像度化処理（画像縮小化処理）のいずれかを利用してデータ圧縮を行うかの問い合わせを利用者２５に対して行う。
【０１１５】
前者が選択された場合、ＣＰＵ２１２は、ＪＰＥＧ圧縮法の圧縮率を適切に変更して残りの記録可能容量に収まる圧縮データを作成してＲＡＭ２１６へ格納した後、圧縮フラグ：ｃｏｍｐｒｅｓｓに２を代入する。一方、後者が選択された場合、ＣＰＵ２１２は、低解像度化時の縮小比率を変更して、記録可能容量に収まる適切なサイズの低解像度データを作成してＲＡＭ２１６へ格納した後、圧縮フラグ：ｃｏｍｐｒｅｓｓに３を代入する。
【０１１６】
次に、ＣＰＵ２１２は、圧縮フラグ：ｃｏｍｐｒｅｓｓの値を画像属性データ１１１５内の圧縮フラグへ代入する。そして、ＣＰＵ２１２は、ＩＣタグ記録用画像データ１１１４中の画像属性データ１１１５及び画像内容データ１１１６として、それぞれ、印刷ジョブデータ７０１に含まれる画像属性データ７１４（例えば、図１に示す画像属性データ１１１５）と上述した処理で圧縮された画像データ（あるいは低解像度化データ）を割り当てる。
【０１１７】
ステップＳ５０９では、ＣＰＵ２１２の命令により、ＩＣタグ付き用紙の給紙カセットが選択される。次に、ＣＰＵ２１２の命令により、出力エンジン２１７が印刷ジョブデータ内の印刷データに基づいて、給紙カセットから給紙されたＩＣタグ付き印刷用紙１３上へ電子写真プロセスにより画像を印刷し、ステップＳ５１０へ進む。
【０１１８】
ステップＳ５１０では、ＣＰＵ２１２の命令により、第１のＩＣタグリーダライタ１２がアクティブになり、ＲＡＭ２１６内のＩＣタグ記録用画像データ１１１４を印刷用紙１３上のＩＣタグ１４へ記録し、ステップＳ５１１へ進む。
【０１１９】
ステップＳ５１１では、ＣＰＵ２１２の命令により、出力エンジン２１７が印刷済みの用紙（通常用紙又はＩＣタグ付き用紙）を排紙トレイ（不図示）上へ排紙して、ステップＳ５０１へ戻る。
【０１２０】
このように、画像ビットマップデータ７１５及び画像属性データ（画像関連情報）７１４の合計サイズが印刷用紙１３上のＩＣタグ１４の書込可能領域の容量を超えるときは、画像ビットマップデータ７１５に対して、当該書込可能領域の容量に応じた圧縮処理を行う。これにより、利用者２５が画像ビットマップデータのサイズ及びＩＣタグ１４の記録可能容量を気にすることなく、印刷用紙１３に印刷すると共に、該ＩＣタグ１４にＩＣタグ記録用画像データ１１１４を記録することができる。
【０１２１】
次に、クライアント端末１における複写処理の流れを図８を参照して説明する。
【０１２２】
図８は、クライアント端末１における複写処理の流れを示すフローチャートである。
【０１２３】
図８において、ステップＳ５３０１では、利用者２５がクライアント端末１の入力部２０３からクライアント端末制御プログラムの開始命令を与えると、ＣＰＵ２０２がＲＡＭ２０６上で当該制御プログラムを展開した後、表示部２０７に所定の情報を表示する。この状態で、入力部２０３から処理終了コマンドが入力されると（ステップＳ５３０１でＹＥＳ）、本処理を終了する。
【０１２４】
ステップＳ５３０２では、ＣＰＵ２０２の指示により、ＩＣタグ・リーダライタ２がアクティブになり、その測定範囲にある印刷書類２３上のＩＣタグ１４から、例えば、ＩＣタグ記録用画像データ１１１４を読み取ってＲＡＭ２０６へ格納する。その後、ＩＣタグ記録用画像データ１１１４内の画像内容データ１１１６に基づいて表示部２０７に画像を表示する。
【０１２５】
ステップＳ５３０３では、表示部２０７に表示された画像の内容が利用者２５により確認された後、入力部２０３から複写コマンドが入力されると、ＣＰＵ２０２が表示部２０７に所定の情報を表示し、利用者２５に対して印刷モードの選択の問い合わせを行う。印刷モードとしては、「通常用紙印刷」と「ＩＣタグ付き用紙印刷」の２種類がある。ステップＳ５３０３の判別の結果、「通常用紙印刷」が選択された場合は、ＣＰＵ２０２は、印刷モードを示す変数：ｐｒｉｎｔ＿ｍｏｄｅに１を代入して（ステップＳ５３０４）、ステップＳ５３０６へ進む。一方、「ＩＣタグ付き用紙印刷」が選択された場合は、ＣＰＵ２０２は、変数：ｐｒｉｎｔ＿ｍｏｄｅに２を代入して（ステップＳ５３０５）、ステップＳ５３０６へ進む。
【０１２６】
ステップＳ５３０６では、ＣＰＵ２０２は、ＲＡＭ２０６内の画像属性データ１１１５中の圧縮フラグに基づいて、画像内容データ１１１６が圧縮データか非圧縮データかを判別する。この結果、圧縮データであるときはステップＳ５３０７へ進む一方、非圧縮データであるときはステップＳ５３１２へ進む。
【０１２７】
ステップＳ５３０７では、ＣＰＵ２０２は、ＲＡＭ２０６内の画像属性データ１１１５中のオリジナル画像データの場所情報Ａ，Ｂに基づいて、ネットワーク２１上のデータベース装置５を検索する。そして、該データベース装置５に格納されている複数の画像データの中からオリジナル画像データを検索する。その結果、オリジナル画像データが検索された場合はステップＳ５３０８へ進む一方、データベース装置５からのオリジナル画像データの削除、移動或いは一時的なネットワーク障害などの理由により、オリジナル画像データが検索不能である場合は、ステップＳ５３１０へ進む。
【０１２８】
ステップＳ５３０８では、ＣＰＵ２０２は、場所情報Ａ，Ｂが示すデータベース装置５からオリジナル画像データを取得（ダウンロード）し、ＲＡＭ２０６へ格納する。
【０１２９】
次に、ステップＳ５３０９では、ＣＰＵ２０２は、ＲＡＭ２０６に格納されたオリジナル画像データ（画像データ８０１）に基づいて、図５に示す印刷ジョブデータ７０１を作成し、通信部２０４を介してプリントサーバ装置１０へ送信する。ここで作成される印刷ジョブデータ７０１は、印刷データ７１１、印刷モード７１２、画像属性データ７１４（画像属性データ８０２の値が設定される）、画像ビットマップデータ７１５（画像ビットマップデータ８０３の値が設定される）という４つのデータで構成される。そして、ＣＰＵ２０２は、表示部２０７を介して「データベース内のオリジナル画像データを利用して画像の複写を開始します」とのメッセージを表示して、ステップＳ５３０１へ戻る。
【０１３０】
ステップＳ５３１０では、ＣＰＵ２０２は、ＲＡＭ２０６内の画像属性データ１１１５中の圧縮フラグの値を確認する。その結果、圧縮フラグの値が１であるときは、画像内容データ１１１６が可逆圧縮データであることを意味しているので、図７のステップＳ５０８にて所定の圧縮方式により圧縮処理されている画像データに対して適切な伸長処理を行う。そして、印刷用の画像ビットマップデータ（オリジナル画像データと同等の画像データ）を得る。
【０１３１】
一方、圧縮フラグの値が２以上であるときは、画像内容データ１１１６が非可逆圧縮データであるＪＰＥＧデータ或いは低解像度化データであることを意味しているので、前者ならば適切に伸長処理を施し、後者ならば無変換の状態で、印刷用の画像ビットマップデータ（低解像度データ）を得る。
【０１３２】
次に、ステップＳ５３１１では、ＣＰＵ２０２は、ステップＳ５３１０で得られた印刷用の画像ビットマップデータ（伸長データ或いは低解像度化データ）に基づいて、ステップＳ５３０９と同様に、図５に示す印刷ジョブデータ７０１を作成し、通信部２０４を介してプリントサーバ装置１０へ送信する。ここで作成される印刷ジョブデータ７０１は、印刷データ７１１、印刷モード７１２、画像属性データ７１４（画像属性データ１１１５の値が設定される）、画像ビットマップデータ７１５（ステップＳ５３１０で得られた印刷用の画像ビットマップデータが設定される）という４つのデータで構成される。そして、ＣＰＵ２０２は、表示部２０７を介して「ＩＣタグ内の圧縮画像データを利用して画像の複写を開始します（オリジナルデータより多少画質が落ちる場合があります）」とのメッセージを表示して、ステップＳ５３０１へ戻る。
【０１３３】
ステップＳ５３１２では、ＣＰＵ２０２は、印刷書類２３上のＩＣタグ１４から読み取った画像内容データ１１１６（非圧縮データ）に基づいて、ステップＳ５３０９と同様に、図５に示す印刷ジョブデータ７０１を作成し、通信部２０４を介してプリントサーバ装置１０へ送信する。ここで作成される印刷ジョブデータ７０１は、印刷データ７１１、印刷モード７１２、画像属性データ７１４、画像ビットマップデータ７１５（画像ビットマップデータ１１１６が設定される）という４つのデータで構成される。そして、ＣＰＵ２０２は、表示部２０７を介して「ＩＣタグ内の非圧縮画像データを利用して画像の複写を開始します（オリジナル画像と同等品質です）」とのメッセージを表示して、ステップＳ５３０１へ戻る。
【０１３４】
このように、印刷書類２３上のＩＣタグ１４から画像内容データ１１１６及び画像属性データ１１１５を読み取り、読み取った画像属性データ１１１５に基づいてオリジナル画像データを検索する。そして、検索結果によりデータベース装置５からオリジナル画像データを取得したときは、当該取得したオリジナル画像データ又は読み取った画像内容データ１１１６のいずれか１つに基づいて印刷書類２３の複写用の印刷ジョブデータを作成する。これにより、印刷書類２３の複写を行う際に、利用者２５がデータ検索を行うことなく、印刷書類２３と同等品質の複写書類を容易に取得することができる。
【０１３５】
また、読み取った画像内容データ１１１６が圧縮データか否かを判別する。そして、読み取った画像内容データ１１１６が圧縮データであり且つデータベース装置５からオリジナル画像データを取得できないときは、当該圧縮データを画像属性データ１１１５に基づいて伸張（変換）する。そして、変換された画像データに基づいて印刷書類２３の複写用の印刷ジョブデータを作成する。これにより、データベース装置５を検索してオリジナル画像データが見つからなくとも、印刷書類２３と同等品質の複写書類を容易に取得することができる。このうち、ＩＣタグ１４内に非圧縮のオリジナル画像データが存在する場合は、データベース装置５へのアクセスを必要としないで複写できる。
【０１３６】
また、上記いずれの場合においても、印刷書類２３上に手書き部分や劣化（汚れや折れ）が存在する場合でも、それらに影響されない複写書類を容易に取得することができる。
【０１３７】
次に、複写装置１１における複写処理の流れを図９を参照して説明する。
【０１３８】
図９は、複写装置１１における複写処理の流れを示すフローチャートである。
【０１３９】
図９において、ステップＳ５５０１では、システムの管理者が複写装置１１の入力部２２０から複写装置制御プログラムの開始命令を与えると、ＣＰＵ２１２がＲＡＭ２１６上で当該制御プログラムを展開した後で、表示部２２１に所定の情報を表示する。この状態で、入力部２２０から処理終了コマンドが入力されると（ステップＳ５５０１でＹＥＳ）、本処理を終了する。
【０１４０】
次に、ステップＳ５５０２では、ＣＰＵ２１２の命令により、スキャナ部１５が複写装置１１のプラテンガラス上の印刷書類（印刷原稿）の有無をチェックし、印刷原稿があるときはステップＳ５５０３へ進む一方、印刷原稿がないときはステップＳ５５０１へ戻る。
【０１４１】
ステップＳ５５０３では、ＣＰＵ２１２の命令により、第２のＩＣタグリーダライタ１６が、印刷原稿（印刷書類２３）上のＩＣタグ１４からＩＣタグ記録用画像データ１１１４を読み取ってＲＡＭ２１６へ格納する。
【０１４２】
ステップＳ５５０４では、ＣＰＵ２１２は、表示部２２１に所定の情報を表示して「通常用紙印刷モード」（通常用紙印刷）か「ＩＣタグ付き用紙印刷モード」（ＩＣタグ付き用紙印刷）のどちらの印刷モードを利用して複写を行うかを利用者２５に問い合せる。利用者２５により「通常用紙印刷モード」が選択された場合は、ＣＰＵ２１２は印刷モードを示す変数：ｐｒｉｎｔ＿ｍｏｄｅに１を代入して（ステップＳ５５０５）ステップＳ５５０７へ進む。一方、「ＩＣタグ付き用紙印刷モード」が選択された場合は、ＣＰＵ２１２は変数：ｐｒｉｎｔ＿ｍｏｄｅに２を代入して（ステップＳ５５０６）ステップＳ５５０７へ進む。
【０１４３】
ステップＳ５５０７では、ＣＰＵ２１２は、ＲＡＭ２１６内の画像属性データ１１１５中の圧縮フラグに基づいて、画像内容データ１１１６が圧縮データか非圧縮データかを判別する。この結果、圧縮データであるときはステップＳ５５０８へ進む一方、非圧縮データであるときはステップＳ５５１６へ進む。
【０１４４】
ステップＳ５５０８では、ＣＰＵ２１２は、ＲＡＭ２１６内の画像属性データ１１１５中のオリジナル画像データの場所情報Ａ，Ｂに基づいて、ネットワーク２１上のデータベース装置５を検索する。そして、該データベース装置５に格納されている複数の画像データの中からオリジナル画像データを検索する。その結果、オリジナルデータが検索された場合はステップＳ５５０９へ進む一方、データベース装置５におけるオリジナル画像データの不在（削除、移動等）或いは一時的なネットワーク障害などの理由により、オリジナル画像データが検索不能である場合は、ステップＳ５５１１へ進む。
【０１４５】
ステップＳ５５０９では、ＣＰＵ２１２は、場所情報Ａ，Ｂが示すデータベース装置５からオリジナル画像データを通信部２１４を介して取得（ダウンロード）し、ＲＡＭ２１６へ格納する。
【０１４６】
ステップＳ５５１０では、ＣＰＵ２１２の指示により出力エンジン２１７が、電子写真プロセスによって、取得したオリジナル画像データ（画像データ８０１）における画像ビットマップデータ８０３に基づいて印刷用紙（通常用紙あるいはＩＣタグ付き用紙）へ印刷を実施する。次に、ＣＰＵ２１２の指示により、表示部２２１は「データベース内のオリジナル画像データを利用して複写を開始します」とのメッセージを表示して、ステップＳ５５１７へ進む。
【０１４７】
ステップＳ５５１１では、ＣＰＵ２１２は、表示部２２１に所定の情報を表示し、プラテンガラス上の原稿走査或いはＩＣタグ１４内の画像内容データ１１１６（圧縮データ）のいずれかを用いて複写を行うかの問い合わせを行う。利用者２５が前者を選択した場合はステップＳ５５１２へ進む一方、後者を選択した場合はステップＳ５５１４へ進む。
【０１４８】
ステップＳ５５１２では、ＣＰＵ２１２の指示によりスキャナ部１５は、プラテンガラス上の印刷原稿を光学的に走査してスキャン画像データを生成し、ＲＡＭ２１６へ格納する。ステップＳ５５１３では、出力エンジン２１７は、電子写真プロセスによって、読み取ったスキャン画像データに基づいて印刷用紙（通常用紙あるいはＩＣタグ付き用紙）上への印刷を実施する。次に、ＣＰＵ２１２の指示により、表示部２２１は「原稿台の書類をスキャンして画像を複写します」とのメッセージを表示して、ステップＳ５５１７へ進む。
【０１４９】
ステップＳ５５１４では、ＣＰＵ２１２は、ＲＡＭ２１６内の画像属性データ１１１５中の圧縮フラグの値を確認する。その結果、圧縮フラグの値が１であるときは、画像内容データ１１１６が可逆圧縮データであることを意味しているので、図７のステップＳ５０８にて所定の圧縮方式により圧縮処理されている画像データに対して適切な伸長処理を行う。そして、印刷用の画像ビットマップデータ（オリジナル画像データと同等の画像データ）を得る。
【０１５０】
一方、圧縮フラグの値が２以上であるときは、画像内容データ１１１６が非可逆圧縮データであるＪＰＥＧデータ或いは低解像度化データであることを意味しているので、前者ならば適切に伸長処理を施し、後者ならば無変換の状態で、印刷用の画像ビットマップデータ（低解像度データ）を得て、ＲＡＭ２１６へ格納する。
【０１５１】
ステップＳ５５１５では、ＣＰＵ２０２は、ステップＳ５５１４で得られた印刷用の画像ビットマップデータ（伸長データ或いは低解像度化データ）に基づいて、印刷用紙（通常用紙あるいはＩＣタグ付き用紙）上に電子写真プロセスによって印刷を実施する。次に、ＣＰＵ２０２は、表示部２０７を介して「ＩＣタグ内の圧縮画像データを用いて画像を複写します（オリジナルデータより画質が落ちる場合があります）」とのメッセージを表示して、ステップＳ５５１７へ進む。
【０１５２】
ステップＳ５５１６では、ＣＰＵ２１２の指示により出力エンジン２１７は、電子写真プロセスによって、ＩＣタグ１４から読み取った非圧縮の画像内容データ１１１６（画像ビットマップデータ）に基づいて印刷用紙（通常用紙あるいはＩＣタグ付き用紙）上に印刷を実施する。次に、ＣＰＵ２０２は、表示部２０７を介して「ＩＣタグ内の非圧縮画像データを用いて画像を複写します（オリジナルデータと同等品質です）」とのメッセージを表示して、ステップＳ５５１７へ進む。
【０１５３】
ステップＳ５５１７では、印刷モードを示す変数：ｐｒｉｎｔ＿ｍｏｄｅの値が１ならばステップＳ５５１９へ進む一方、２ならばステップＳ５５１８へ進む。
【０１５４】
ステップＳ５５１８では、ＣＰＵ２１２は、上記ステップＳＳ５５１０，Ｓ５５１３，Ｓ５５１５，Ｓ５５１６のいずれかで得られた印刷用の画像ビットマップデータのサイズが、印刷用紙１３上のＩＣタグ１４の記憶可能容量から画像属性データ１１１５のサイズを差し引いた残りの記録可能容量以内か否かをチェックする。この結果、残りの記録可能容量以内ならば、ＣＰＵ２１２の指示により第２のＩＣタグリーダライタ１６が、ＲＡＭ２１６に格納された画像属性データ１１１５及び印刷用の画像ビットマップデータの組をＩＣタグ記録用画像データ１１１４として、印刷用紙１３上のＩＣタグ１４へ記録する。
【０１５５】
一方、残りの記録可能容量を越える場合、ＣＰＵ２１２の指示により第２のＩＣタグリーダライタ１６が、印刷用の画像ビットマップデータに対して、図７のステップＳ５０８と同様の手順で圧縮処理を加えた後、画像属性データ１１１５と画像内容データ１１１６（圧縮データ）の組をＩＣタグ記録用画像データ１１１４として、印刷用紙１３上のＩＣタグ１４へ記録する。
【０１５６】
ステップＳ５５１９では、ＣＰＵ２１２の指示により排紙部２１８が、印刷用紙１３への印刷処理及び／又は印刷用紙１３上のＩＣタグ１４へのデータ記録（ステップＳ５５１８を実施した場合）が完了した印刷用紙１３を排紙トレイ上へ排紙して、ステップＳ５５０１へ戻る。
【０１５７】
このように、印刷書類２３上のＩＣタグ１４から画像内容データ１１１６及び画像属性データ１１１５を読み取り、読み取った画像属性データ１１１５に基づいてオリジナル画像データを検索する。そして、検索結果によりオリジナル画像データを取得したときは、当該取得したオリジナル画像データ、読み取った画像内容データ１１１６、又はスキャン画像データのいずれか１つに基づいて印刷書類２３の複写印刷を実行するので、印刷書類２３の複写を行う際に、利用者２５がデータ検索を行うことなく、印刷書類２３と同等品質の複写書類を容易に取得することができる。
【０１５８】
また、読み取った画像内容データ１１１６が圧縮データか否かを判別し、圧縮データであり且つデータベース装置５からオリジナル画像データを取得できないときは、スキャン画像データに基づく複写印刷を行うかを問い合せる。その結果、スキャン画像データに基づく複写印刷が選択されないときは、画像属性データ１１１５に基づいて圧縮データを伸張（変換）する。これにより、データベース装置５を検索してオリジナル画像データが見つからずとも、印刷書類２３を走査することなく印刷書類２３と同等品質の複写書類を容易に取得することができる。
【０１５９】
また、印刷書類２３に対する印刷モードを選択させ、選択された印刷モードに応じて印刷用紙を選択する。そして、ＩＣタグ付き用紙（印刷用紙１３）が選択されたときは、複写印刷が実行された画像データ（画像内容データ１１１６）及び画像属性データ１１１５を印刷用紙１３上のＩＣタグ１４に記録する。更に、画像内容データ１１１６及び画像属性データ１１１５の合計サイズがＩＣタグ１４の書込可能領域の容量を超えるときは、画像内容データ１１１６に書込可能領域の容量に応じた圧縮処理を行う。これにより、利用者２５が画像内容データの容量（サイズ）及びＩＣタグ１４の記録容量を気にすることなく、印刷用紙１３に印刷すると共に、ＩＣタグ１４にＩＣタグ記録用画像データ１１１４を記録することができる。
【０１６０】
上記第１の実施の形態によれば、クライアント端末１において、データベース装置５に格納された複数の画像データの中から印刷対象となる画像データ８０１を選択させ、選択された画像データ８０１をデータベース装置５から取得する。そして、画像データ８０１に対する印刷モードを選択させ、取得した画像データ８０１及び選択された印刷モードに基づいて印刷ジョブデータを作成してプリントサーバ装置１０に送信する。また、複写装置１１において、受信した印刷ジョブデータ７０１に含まれる印刷モード７１２に応じて印刷用紙を選択する。そして、ＩＣタグ付き用紙印刷が選択されたときは、受信した印刷ジョブデータ７０１に含まれる画像ビットマップデータ７１５及び画像属性データ（画像関連情報）７１４をＩＣタグ１４に記録すると共に、印刷用紙１３に印刷処理を行う。これにより、画像データの印刷を行う際に、利用者自身がデータ検索を行うことなく所望の画像データを選択することができ、印刷処理と同時にＩＣタグ付き用紙に印刷することができる。このうち、ＩＣタグ１４内に非圧縮のオリジナル画像データが存在する場合は、データベース装置５へのアクセスを必要としないため、ネットワークに接続されていないスタンドアロン状態の複写装置１１からも複写処理ができる。
【０１６１】
この結果、ケースバイケースで、複写対象の印刷書類の状態（手書き部分、用紙の素材、劣化（汚れや折れなど））に影響されない複写書類及び印刷書類自体の複写による複写書類のいずれかを利用者２５が選択して取得できる。
【０１６２】
［第２の実施の形態］
上記第１の実施の形態における画像処理システムでは、ＩＣタグ１４に記録されている画像データが圧縮データの場合、原稿走査によるスキャン画像データ又は当該圧縮データのいずれか一方を用いて複写印刷を行うように構成している。
【０１６３】
本第２の実施の形態における画像処理システムは、スキャン画像データ及び圧縮データという２種類の画像データを用いて複写印刷を行うものである。これにより、印刷原稿に対する１回の複写処理によって２種類の複写書類を取得することができる。
【０１６４】
［第３の実施の形態］
上記第１の実施の形態における画像処理システムでは、複写対象の原稿に関連付けられた画像データを印刷用紙１３上のＩＣタグ１４へ記録する際、この画像データのサイズがＩＣタグ１４の記録可能容量を超えている場合、所定の圧縮処理や低解像度化処理を施した後にＩＣタグ１４への記録を実施している。
【０１６５】
本第３の実施の形態における画像処理システムは、印刷用紙１３上のＩＣタグ１４へ記録すべき画像データのサイズがＩＣタグ１４の記録可能容量を超えている場合には、画像データを少なくとも２つに分割して、複数のＩＣタグ１４へそれぞれ記録するものである。また、画像の印刷処理の際に、印刷用紙１３上にＩＣタグ１４が１つしかないときは、複数のＩＣタグ１４を単一の印刷用紙１３上に物理的に付着するように構成している。
【０１６６】
クライアント端末１や複写装置１１において、複数のＩＣタグ１４が付着した印刷書類２３の複写を実行する際には、印刷書類２３上の複数のＩＣタグ１４からそれぞれ分割された画像データを読み取る。そして、それらをＲＡＭ上で結合して元の画像データを生成し、この元画像データを複写処理に用いるように構成している。
【０１６７】
このように構成することで、印刷用紙２３上のＩＣタグ１４には、常にオリジナル画像データを分割して記録できるようになるため、データベース装置５に格納されたオリジナル画像データに対してアクセスが不能な場合或いはスタンドアロンの複写装置からでも、単一の印刷用紙１３上の複数のＩＣタグ１４から読み取られた分割データによる構成されたオリジナル画像データを用いて、印刷書類２３と同等品質の複写書類を取得することが可能となる。
【０１６８】
［第４の実施の形態］
上記第１〜第３の実施の形態における画像処理システムでは、印刷及び複写の対象となるデータとして、画像データを取り扱うものである。
【０１６９】
本第４の実施の形態における画像処理システムは、画像データだけでなく、汎用的な文書データにも適用することが可能である。この場合は、文書データにはテキストデータが含まれるので、複写装置１１による文書データの印刷時に実行される印刷用紙１３上のＩＣタグ１４へデータを記録するには、ＩＣタグ１４の記録可能容量に応じてデータを圧縮する必要がある。そのときは、然るべき情報処理端末に読み込まれてデータ伸長された際にテキストデータが復元できるように可逆圧縮手法が用いられることが好ましい。
【０１７０】
本発明の目的は、上記実施の形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【０１７１】
この場合、記憶媒体から読み出されたプログラムコード自体が上述した実施の形態の機能を実現することになり、そのプログラムコードを記憶した記憶媒体は本発明を構成することになる。
【０１７２】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ±Ｒ、ＤＶＤ−ＲＡＭ、ＤＶＤ±ＲＷ、磁気テープ、不揮発性のメモリカード等を用いることができる。または、プログラムコードをネットワークを介してダウンロードしてもよい。
【０１７３】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部又は全部を行い、その処理によって上述した実施の形態の機能が実現される場合も含まれる。
【０１７４】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施の形態の機能が実現される場合も含まれる。
【０１７５】
また、コンピュータが読み出したプログラムコードを実行することにより、前述した各実施の形態の機能が実現されるだけでなく、そのプログラムコードの指示に基づき、コンピュータ上で稼働しているＯＳなどが実際の処理の一部又は全部を行い、その処理によって前述した各実施の形態の機能が実現される場合も、本発明に含まれることは云うまでもない。
【０１７６】
この場合、上記プログラムは、該プログラムを記憶した記憶媒体から直接、又はインターネット、商用ネットワーク、若しくはローカルエリアネットワーク等に接続された不図示の他のコンピュータやデータベース等からダウンロードすることにより供給される。
【０１７７】
上記実施の形態では、複合装置の印刷方式を電子写真方式とした場合を例に挙げたが、本発明は、電子写真方式に限定されるものではなく、インクジェット方式、熱転写方式、感熱方式、静電方式、放電破壊方式など各種印刷方式に適用することができる。
【図面の簡単な説明】
【０１７８】
【図１】本発明の第１の実施の形態に係る画像処理システムの全体構成を示す図である。
【図２】（ａ）は図１のクライアント端末１の構成を示す図であり、（ｂ）は図１のデータベース装置５の構成を示す図である。
【図３】図１の複写装置１１の構成を示す図であり、（ｂ）は図１のプリントサーバ装置１０の構成を示す図である。
【図４】クライアント端末１における印刷処理の流れを示すフローチャートである。
【図５】印刷ジョブデータ７０１を受信したプリントサーバ装置１０の動作処理の概要を示す図である。
【図６】プリントサーバ装置１０における印刷ジョブデータ受信処理の流れを示すフローチャートである。
【図７】複写装置１１における印刷処理の流れを示すフローチャートである。
【図８】クライアント端末１における複写処理の流れを示すフローチャートである。
【図９】複写装置１１における複写処理の流れを示すフローチャートである。
【図１０】データベース装置１０に格納される画像データのデータ構造を示す図である。
【図１１】ＩＣタグ記録用画像データ１１１４のデータ構造を示す図である。
【符号の説明】
【０１７９】
１  クライアント端末
２  ＩＣタグリーダライタ装置
５  データベース装置
１０  プリントサーバ装置
１１  複写装置
１２  第１のＩＣタグリーダライタ装置
１６  第２のＩＣタグリーダライタ装置
７０１  印刷ジョブデータ
７０２  印刷ジョブデータのキュー
７１１  印刷データ
７１２  印刷モード
７１４，８０２，１１１５  画像属性データ
７１５，８０３  画像ビットマップデータ
８０１  画像データ
１１１４  ＩＣタグ記録用画像データ
１１１６  画像内容データ
【図１】
2007158428.tif 000003
【図２】
2007158428.tif 000004
【図３】
2007158428.tif 000005
【図４】
2007158428.tif 000006
【図５】
2007158428.tif 000007
【図６】
2007158428.tif 000008
【図７】
2007158428.tif 000009
【図８】
2007158428.tif 000010
【図９】
2007158428.tif 000011
【図１０】
2007158428.tif 000012
【図１１】
2007158428.tif 000013